(57)【要約】【課題】機能性と意匠性に優れる衛生薄葉紙ロールを提供する。【解決手段】薬剤を含む帯状の衛生薄葉紙と、これに隣接して積層された模様が付与された帯状の衛生薄葉紙とを有する連続シートが、前記薬剤を含む帯状の衛生薄葉紙が、最外層に位置して、常にロールの外周面となるように巻かれている衛生薄葉紙ロールにより解決される。【選択図】図１
2009178473.tif 000002
【特許請求の範囲】
【請求項１】
２枚以上の帯状の衛生薄葉紙が積層されて円筒状に巻きとられている衛生薄葉紙ロールであって、
薬剤を含む帯状の衛生薄葉紙と、これに隣接して積層された、模様が付与された帯状の衛生薄葉紙とを有し、
これら衛生薄葉紙が積層され、かつ、前記薬剤を含む帯状の衛生薄葉紙が、最外層に位置して、常にロールの外周面を構成するようにして巻かれていることを特徴とする衛生薄葉紙ロール。
【請求項２】
前記模様は、前記薬剤を含む衛生薄葉紙に対面する面に付与されている請求項１記載の衛生薄葉紙ロール。
【請求項３】
前記薬剤を含む衛生薄葉紙は、不透明度が３０％〜５５％である請求項１又は２記載の衛生薄葉紙ロール。
【請求項４】
前記模様は、衛生薄葉紙の地色と異なる色に着色された部分を有する請求項１〜３の何れか１項に記載の衛生薄葉紙ロール。
【請求項５】
前記着色された部分は、インキを印刷して形成されている請求項４に記載の衛生薄葉紙ロール。
【請求項６】
前記衛生薄葉紙は、ＪＩＳ Ｐ ８１２４の米坪測定方法における値が１０〜２２ｇ／ｍ2である請求項１〜５の何れか１項に記載の衛生薄葉紙ロール。
【発明の詳細な説明】
【技術分野】
【０００１】
本発明は、帯状に連続する衛生薄葉紙が２枚以上重ねられて円筒状に巻き取られた衛生薄葉紙ロールに関する。
【背景技術】
【０００２】
トイレットロールに代表される衛生薄葉紙ロールには、顧客吸引力を高めるべく、インキ等によって図案や図柄が印刷されて模様を付与することが行われる。
そして、複数枚の衛生薄葉紙が積層されて巻き取られた衛生薄葉紙ロールでは、従来、模様が外方から良好に視認されるように、模様を付与した衛生薄葉紙の当該模様付与面が常に最外面となるように巻きとり、模様が常にロール外周面に位置する構造としていた。
【特許文献１】特開２００６−４２８８３
【特許文献２】特開２００６−３２０６８８
【発明の開示】
【発明が解決しようとする課題】
【０００３】
しかしながら、この構造の衛生薄葉紙ロールでは、適当長さに切って肌の清拭に使用する際には、インキが付与されている部分が、肌に直接触れる部分となり、硬さを感じる原因となったり、需用者において使用時にインキが体に移ったり、インキ中の害のある物質が体に直接触れたりするのではないかと誤解して不安を感じることがあった。
また、衛生薄葉紙ロールは、柔軟性や肌触りの向上のための柔軟剤や潤滑剤、ウィルス、細菌の繁殖抑制、殺菌のための殺菌剤、抗菌剤、抗ウィルス剤等の種々の薬剤を含浸、塗布させた衛生薄葉紙を用いることがある。
【０００４】
これらの薬剤は、肌に直接的に触れる部分に付与するのが望ましいが、上述のとおり、従来の模様を有する衛生薄葉紙ロールでは、当該部分にインキによって印刷した衛生薄葉紙が位置されるため、薬剤との併用が困難な場合があった。
例えば、図柄や図案の印刷後に薬剤を付与するとインキの滲みが発生するおそれがあるし、薬剤を塗布した後に印刷を行うと印刷部分において薬剤がコーティングされて機能が十分に発揮されないことがあった。
【０００５】
他方、かかる衛生薄葉紙における模様は、薄葉紙が低坪量であることや、先述のとおり需用者に不安感を与えない観点、柔らかさ低下防止の観点から、薄く印刷するのが一般的であり、これに起因して特に大判の図案においてムラや掠れが発生しやすく、十分に高級感が感じられない場合があった。
そこで、本発明の主たる課題は、薄色に見えても高級感を感じられるぼかし模様、すかし模様のような淡い模様を有し、しかも、柔軟性等の機能性にも優れる衛生薄葉紙ロールを提供することにある。
【課題を解決するための手段】
【０００６】
上記課題を解決した本発明およびその作用効果は次記のとおりである。
＜請求項１記載の発明＞
２枚以上の帯状の衛生薄葉紙が積層されて円筒状に巻きとられている衛生薄葉紙ロールであって、
薬剤を含む帯状の衛生薄葉紙と、これに隣接して積層された、模様が付与された帯状の衛生薄葉紙とを有し、
これら衛生薄葉紙が積層され、かつ、前記薬剤を含む帯状の衛生薄葉紙が、最外層に位置して、常にロールの外周面を構成するようにして巻かれていることを特徴とする衛生薄葉紙ロール。
【０００７】
（作用効果）
本発明の衛生薄葉紙ロールでは、薬剤が含有された衛生薄葉紙と模様が印刷された薄葉紙が別であるので、これらの相性などをきにせずに設計できる。また、薬剤による効果がインキ印刷によって抑制されることもないので、インキ印刷などによる模様付与が効果的に行える。
【０００８】
また、薬剤が含有された衛生薄葉紙を介して模様が外面から認識されるので、需要者に模様を構成するインキ等が露出せず、直接的に触れるという印象を与えない。また、模様を濃くしても同様である。
【０００９】
また、多くのインキ等で印刷しても、表面の衛生薄葉紙に薬剤を含有することができるので、例えば衛生薄葉紙が位置しているので、例えば、その表面に柔軟剤等を付与することで当該印刷による肌触り感の低下等を防止できる。すなわち、所望の表面特性を薬剤によって効果的に付与できる。
【００１０】
また、濃い模様を付与することができるので、色ムラや掠れは感じられない。特に、衛生薄葉紙を一枚介して、模様が視認されるように構成したことで、ぼかし模様、すかし模様のような淡い印象を想起しやすい模様が得られ、これまでにない意匠性が得られる。
【００１１】
＜請求項２記載の発明＞
前記模様は、前記薬剤を含む衛生薄葉紙に対面する面に付与されている請求項１記載の衛生薄葉紙ロール。
【００１２】
（作用効果）
ロール外周面から模様が視認性しやすくなる。また、製造するにあたって模様をインキ等印刷した接着効果が得られることから、製造工程を簡易にできる効果も奏する。
【００１３】
＜請求項３記載の発明＞
前記薬剤を含む衛生薄葉紙は、不透明度が３０％〜５５％である請求項１又は２記載の衛生薄葉紙。
【００１４】
（作用効果）
本発明の不透明度とすると、外方からの模様の視認性が向上する。
【００１５】
＜請求項４記載の発明＞
前記模様は、衛生薄葉紙の地色と異なる色に着色された部分を有する請求項１〜３の何れか１項に記載の衛生薄葉紙ロール。
【００１６】
（作用効果）
衛生薄葉紙の地色と異なる色に着色されている部分を有すると色彩感が感じられるようになり高級感のあるものとなる。
【００１７】
また、外方からの視認性が向上する。さらに、模様付与部分が薬液が付与された衛生薄葉紙を介して視認されることから、地色と当該着色部分との境界がぼかされて、着色されたぼかし模様に見えるようになる。
この境界のぼやけは、特に薬剤が付与された衛生薄葉紙と、模様が付与された衛生薄葉紙の地色が同じ場合に顕著となる。
【００１８】
＜請求項５記載の発明＞
前記着色された部分は、インキを印刷して形成されている請求項４に記載の衛生薄葉紙ロール。
【００１９】
（作用効果）
コントラスト、色彩感、図案、図柄など多彩な模様を簡易に付与することができる。コスト、製造容易性に優れる。また、インキが接着剤の役割を果たし、模様の付与と隣接する衛生薄葉紙同士の接着が同時に行うことができ、製造上の利点がある。
【００２０】
＜請求項６記載の発明＞
衛生薄葉紙は、ＪＩＳ Ｐ ８１２４の米坪測定方法における値が１０〜２２ｇ／ｍ2である請求項１〜５の何れか１項に記載の衛生薄葉紙ロール。
【００２１】
（作用効果）
かかる米坪の範囲であると適度な不透明度となり、中層に形成した図案が外周となる層を介して視認できるようになる。
【発明の効果】
【００２２】
以上のとおり、本発明によれば、ぼかし模様、すかし模様のようなこれまでにない淡い模様を有し、しかも、柔軟性等の機能性にも優れる衛生薄葉紙ロールが提供される。
【発明を実施するための最良の形態】
【００２３】
以下、本発明の実施形態について図面を参照しつつ詳説する。
〔構造〕
本発明に係る衛生薄葉紙ロールは、２枚以上の帯状の衛生薄葉紙が積層されたプライ構造の連続シートを円筒状に巻き取ったものである。
前記連続シートにおいて、重ねられる衛生薄葉紙の枚数は特に限定されるものではなく、例えば２枚（２プライ）、３枚（３プライ）、４枚（４プライ）、又はそれ以上の複数枚と適宜変更することができる。特に、２枚又は３枚が効果が顕著であり望ましい。
【００２４】
以下に３枚の衛生薄葉紙が重ねられた例を主として、図１を参照しながら構造をより詳述する。ただし、本発明は、この形態に限定されるわけではない。
この本形態の衛生薄葉紙ロールＸ１は、中層に位置する帯状の衛生薄葉紙１（中層衛生薄葉紙という）に模様が付与され、その表裏に薬剤を含有した帯状の衛生薄葉紙２，３（表面衛生薄葉紙２、裏面衛生薄葉紙３という）が積層された三層構造の連続シート１０を巻き取って形成されている。連続シート１０の巻き取り技術や各層の積層技術は既知の技術による。
そして、この衛生薄葉紙ロールＸ１は、前記表面衛生薄葉紙２が常に巻き取り外周面となるように巻かれており、従って、衛生薄葉紙ロールＸ１の外周面Ｒは表面衛生薄葉紙２によって構成され、また、その外周面Ｒを構成する表面衛生薄葉紙２を透して、前記中層衛生薄葉紙１に付与された模様が外方から認識される。
【００２５】
本発明の衛生薄葉紙ロールＸ１はこのように特徴的な層構造及び巻き構造によって、中層衛生薄葉紙１の模様が、一枚の薄紙である表面衛生薄葉紙２を透して視認されるため、従来衛生薄葉紙ロールのように外周面に直接的にインキなどによって模様が付与されているものと比較して、模様を構成する図案・図柄の縁等が適度にぼやけて視認され、すかし模様、ぼかし模様のような淡く、やわらかな印象を想起させるこれまでにない意匠性を呈する。
本形態の衛生薄葉紙ロールＸ１では、中層衛生薄葉紙模様１に付与された模様は、着色インキ等により所定の図柄Ｐや図案Ｐを描くことで形成されている。これは、例えば、既知の印刷技術により形成することができる。
模様の自由度や付与の容易性から印刷による模様形成が特に好適であるが、模様付与の他の例として、混抄技術により衛生薄葉紙の主原料パルプと相違する着色長繊維など混抄する方法や、当該帯状の衛生薄葉紙に着色された紙片等を貼着する方法が例示できる。
なお、模様を構成する具体的な図案Ｐや図柄Ｐの形成範囲、大きさ、形状などは特に限定されるものではなく、ロゴマーク、数字、文字、幾何学模様など図案、適宜の大きさを選択することができる。
【００２６】
他方、模様を構成する図案Ｐや図柄Ｐなどのうち、着色されている部分は、衛生薄葉紙の地色と明確に相違しているのがよい。模様の形成に用いるインキとしては、染料インキ、顔料インキを問わず、トイレットペーパー、ティシュペーパーなどの衛生薄葉紙の印刷に用いられている既知のインキが利用できる。これらのインキによって印刷して模様を形成すれば、地色と異なる図案を付与することができる。
限定はされないが着色部分と地の部分とのＬ＊ａ＊ｂ＊表色系におけるＬ＊値の差ΔＬ＊は３．０以上あるのが望ましい。なお、Ｌ＊値の測定は、例えば日本電色工業製の測定装置「ＰＦ−１０」を用いて行うことができる。
【００２７】
他方、本形態の衛生薄葉紙ロールＸ１は、上述のとおり外周面Ｒとなる表面衛生薄葉紙２を透してそれに隣接する中層衛生薄葉紙１の模様が透けて視認できるものである。従って、模様（図案）の透過による視認性を高めるべく、インキの印刷等によって中層衛生薄葉紙１の一方面に模様を付与する場合、その付与面を表面衛生薄葉紙２と対面する側の面とするのがよい。
【００２８】
また、前記表面衛生薄葉紙２は、中層衛生薄葉紙１に付与した模様が明瞭に視認されるように、ＪＩＳ Ｐ ８１４９に基づく不透明度が３０〜５５％、望ましくは３５〜４５％とするのが望ましい。この程度の不透明度とすると、ロール外方から中層衛生薄葉紙の模様（図案Ｐ）が透けて見えるようになり、そこに付与された模様が視識しやすくなる。
【００２９】
他方、前記表面衛生薄葉紙２は、本発明の課題に鑑みて、インキなどの印刷、塗布、塗工によって形成される模様を有しないのが望ましい。ただし、エンボスによる模様はこの限りでない。
【００３０】
他方、前記表面衛生薄葉紙２は、使用時に直接肌に触れる面を構成することから、特に肌に触れたときの肌触り感や柔軟性を向上させる柔軟剤や潤滑剤、ウィルス、細菌の繁殖抑制、殺菌のための殺菌剤、抗菌剤、抗ウィルス剤等の種々の薬剤を含有させる。
薬剤を含ませる方法は、スプレー塗布、ロール転写等の既知の外添方法が採用できる。薬剤の塗布量等は用いる薬剤の種類によって適宜調整する。
特に、薬剤としては柔軟剤が望ましい。中層衛生薄葉紙１への印刷による模様付与に起因する硬さの発現や肌触り感の低下を相殺し、また、本発明の層構造及び巻き構造によって得られるぼかし模様、すかし模様のような意匠性のイメージと相まって柔らかなイメージが強く感じられるからである。もちろん、柔軟剤と他の薬剤等を併用してもかまわない。
【００３１】
他方、裏面衛生薄葉紙３に関しては、本形態では好ましい形態として存在させているが、必ずしも必要ではない。裏面衛生薄葉紙３を配すると中層衛生薄葉紙１が表裏の薄葉紙に被覆されることになり、インキが確実に外面に露出しなくなり、肌への接触が防止されるので設けるのが望ましい。
【００３２】
また、裏面衛生薄葉紙３に関しても、表面衛生薄葉紙１と同じように適宜の薬剤を含有させることができる。この薬剤に関しては、必ずしも表面衛生薄葉紙と同じものである必要はなく、適宜異なるものとすることができる。
【００３３】
以上、本発明の衛生薄葉紙ロールＸ１の構造例を、３層積層の連続シート１０を巻き取った例を参照しながら説明したが、本発明の衛生薄葉紙ロールは、ロール外周面を形成する前記表面衛生薄葉紙の直下に模様を有する中層衛生薄葉紙が位置して積層され、その模様が表面衛生薄葉紙を透して外方から認識できるようにしたものであり、従って、適宜の積層枚数、例えば４層以上に構成する場合いは、前記模様が付与された中層衛生薄葉紙と裏面衛生薄葉紙との間に適宜の枚数の帯状の衛生薄葉紙を介在させればよい。２層とするならば裏面衛生薄葉紙を無いものとすればよい。
【００３４】
〔各衛生薄葉紙に関して〕
次いで、本発明に係る衛生薄葉紙ロールＸ１を構成する各衛生薄葉紙１,２,３についてさらに説明する。各衛生薄葉紙は、原料パルプを主とする抄紙原料を、公知の抄紙工程、具体的には、ワイヤパート、プレスパート、ドライヤパート、サイズプレス、カレンダパート等を経るなどして製造することができる。
この抄紙に際しては、例えば、分散剤、苛性ソーダ、アンモニア水等のｐＨ調整剤、消泡剤、防腐剤、蛍光染料、離型剤、耐水化剤、流動変性剤、歩留まり向上剤などの適宜の薬品を添加することができる。
【００３５】
抄紙原料に用いる原料パルプは、特に限定されない。水解性衛生薄葉紙の用途に応じて適宜の原料パルプを選択して使用することができる。原料パルプとしては、例えば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００３６】
特には、原料パルプは、トイレットペーパー、ティシュペーパーとするのであれば、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝３０：７０〜５０：５０がよく、特に、ＮＢＫＰ：ＬＢＫＰ＝４０：６０が望ましい。
【００３７】
他方、原紙シートはたとえば前記図案エンボスを明瞭に見せる効果、あるいは全体として高級感等のあるように見せる効果を得るために、地色が白色に限らず薄いピンクやブルーであってもよい。
原紙シートの地色の調整は、予め着色料を混合して着色した抄紙原料を抄紙するなどの既知の技術により達成できる。
【００３８】
また、各衛生薄葉紙には、単位エンボス一つあたりの面積０．００２〜０．００４ｃｍ2、エンボス密度３０〜１００個／ｃｍ2、エンボス深さ０．０５〜２．０ｍｍの所謂マイクロエンボスが形成されていてもよい。単位エンボスの形状については、適宜の形状とすることができる。
【００３９】
〔米坪〕
他方、各衛生薄葉紙の米坪は、その用途によって適宜調整すればよいが、特にトイレットロールとするのであれば、連続シートを構成する各衛生薄葉紙のＪＩＳ Ｐ ８１２４の米坪測定方法における値が、１０〜２２ｇ／ｍ2である好ましい。なぜなら、１０ｇ／ｍ2未満では、トイレットペーパーとしての柔らかさの向上の観点からは好ましいものの、トイレットペーパーとしての強度を適正に確保することができないためである。また、２２ｇ／ｍ2超では、トイレットペーパーとして使用するに、硬くなりすぎて、肌触りが悪いものとなるからである。
【００４０】
ここで、各衛生薄葉紙の坪量は、すべて統一する必要はない。本発明においては特に模様が付与される中層衛生薄葉紙１の坪量を、表面衛生薄葉紙２の米坪より高坪量となるようにすれば、中層において印刷によるインキの乗りがよくなり模様形成が効果的に行うことができ、その模様が表面衛生薄葉紙２の低坪量により外方から視認しやすくなり、しかも連続シート全体としての強度及び柔らかさが確保されるという効果を得られるため、このように各層の坪量を配分とするのが望ましい。
【００４１】
〔紙厚〕
紙厚もまた、衛生薄葉紙ロールＸ１の用途による。トイレットロールであれば、紙厚は、５０〜３００μｍとするのが好ましい。なお、ここでいう紙厚は衛生薄葉紙の紙厚ではなく、連続シート１０の紙厚である。すなわち、積層状態における紙厚である。その紙厚が５０μｍ未満では、柔らかさの向上の観点からは好ましいものの、トイレットペーパーとしての強度を適正に確保することができないためである。また、３００μｍ超では、トイレットペーパーが硬くなりすぎて、トイレットペーパーの肌触りが悪化するだけでなく、使用時にゴワツキ感が生じるためである。なお、各層を構成する衛生薄葉紙の紙厚は、すべて統一する必要はない。
【００４２】
前記紙厚の測定方法としては、ＪＩＳ Ｐ ８１１１の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料（例えば、トイレットペーパー。）を試験台の上におき、プランジャーをゆっくりと下ろしそのときのゲージを読み取る。このとき、プランジャーをのせるだけとする。なお、紙厚は測定を１０回行って得られる平均値とする。
【００４３】
本発明に係る衛生薄葉紙の引張強度は、ＪＩＳ Ｐ ８１１３の引張試験方法に準じて行う。その中でＪＩＳ Ｐ ８１１１に規定された標準条件下で、縦方向及び横方向に幅２５ｍｍに裁断するものとする。
【００４４】
〔水解性〕
本発明に係る連続シート１０は、トイレット用途など水解性とするのであれば、少なくともＪＩＳ Ｐ ４５０１で規定される、ほぐれやすさの試験方法における結果が８０秒以下となるようにするのが望ましい。通常は８０秒を超えると、使用後に水洗トイレ等に廃棄しても水解が遅く、排水管に詰まる恐れが生じるからである。水解性の調整は、既知の紙力調整剤や抄紙原料のフリーネスの調整によって行うことができる。
【００４５】
〔接着剤〕
各衛生薄葉紙同士の接着は、プライ構造を形成する際に用いられる既知の接着剤、例えばＰＶＡ（ポリビニルアルコール）、ＣＭＣ（カルボキシメチルセルロース）等の接着剤を用いることができる。水解性衛生薄葉紙とするのであれば、水溶性の接着剤を用いるのが望ましい。
【００４６】
なお、前記中層衛生薄葉紙に、特に顔料インキを用いて模様を付与する場合には、当該顔料インキ自体を接着剤として機能させることができる。顔料インキを印刷したのち、当該インキが完全に乾燥する前に表面衛生薄葉紙２と中層衛生薄葉紙１とを積層接触させれば、これらが接着される。
【００４７】
〔プライ剥離強度〕
連続シート１０におけるプライ剥離強度［ｃＮ／５０ｍｍ］としては５〜１００ｃＮ／５０ｍｍであることが好ましい。下限を５ｃＮ／５０ｍｍと規定したのは、５ｃＮ／５０ｍｍを下回ると、原紙シートＳ１，Ｓ２どうしの貼り合わせを適正に行うことができないためである。また、上限を１００ｃＮ／５０ｍｍと規定したのは、１００ｃＮ／５０ｍｍを上回ると、水解性衛生薄葉紙として硬くなりすぎて肌触りが悪化するためである。プライ剥離強度の測定方法は、ＪＩＳ Ｐ ８１１３の引張試験方法に準じて行う。その中でＪＩＳ Ｐ ８１１１に規定された標準条件下で、縦方向に幅５０ｍｍに裁断するものとする。裁断した後、試料を縦方向に剥離し、剥離試験用ロードセル（ＴＧ２００Ｎ、ミネビア社製）に対して、剥離した一方を上側のつかみ具に、他方を下側のつかみ具にそれぞれ固定し、その間隔を８ｃｍとする。次に、垂直方向に１００ｍｍ／分の速度で引張り、さらに５ｃｍ剥離させて、その時の強度を測定するものである。
【００４８】
〔薬剤〕
表面衛生薄葉紙に含有する薬剤としては、上述のとおり、柔軟剤、潤滑剤、殺菌剤、抗ウィルス剤、抗菌剤などが挙げられる。
【００４９】
柔軟剤としては、カチオン系界面活性剤、アニオン系界面活性剤、非イオン系界面活性剤などを用いることができる。なかでも、カチオン系界面活性剤を使用するのが好ましい。このカチオン系界面活性剤としては、第４級アンモニウム塩、アミン塩、又はアミンなどを用いることができる。また、両性イオン界面活性剤としては、カルボキシ、スルホネート、サルフェートを含有する第２級若しくは第３級アミンの脂肪族誘導体、又は複素環式第２級若しくは第３級アミンの脂肪族誘導体などを用いることができる。潤滑剤としては、例えば、脂肪酸アミド系化合物などが挙げられる。
アニオン系界面活性剤としては、カルボン酸塩系、スルホン酸塩系、硫酸エステル塩系、燐酸エステル塩系のものなどを、用いることができる。中では、アルキル燐酸エステル塩が好ましい。
非イオン界面活性剤としては、ソルビタン脂肪酸エステル、ジエチレングリコールモノステアレート、ジエチレングリコールモノオレエート、グリセリルモノステアレート、グリセリルモノオレート、プロピレングリコールモノステアレートなどの多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテルなどを用いることができる
【００５０】
他方、抗ウィルス剤、抗菌剤、殺菌剤の種類は、特に限定されない。例えば、オシメン、カンフェン、リモネン、サビネン、ミルセン、テルピネン、ピネン、シメン等の植物抽出成分中に含まれるモノテルペン炭化水素類や、シトロネロール、ゲラニオール、イソプレゴール、リナロール、テルピネロール等のモノテルペンアルコール類、アネトール、カルバクロール、オイゲノール、チモール、パラクレゾール、カビコール、ローズバッツエキス、緑茶ポリフェノール等のフェノール類、ｔ−アネトール、チャビコールメチルエーテル、サフロール等のフェノールエーテル類、アセトアルデヒド、シトラール、シトロネラール、ゲラニアール、ペリルアルデヒド、パレラナール等のアルデヒド類、アセトフェノン、カンファー、ジャスモン、ノートカトン、メントン、フェンコン、カルボン、プレゴン等のケトン類、カリオレフィンオキサイド、シネオール、ビサボロールオキサイド等の酸化物類、カテキン、プロアントシアニディン、フラボン、フラバノン、アントシアニン、フェノール類、フラボノール等のフラボノイド類、などの薬効成分の中から、一種又は数種を適宜選択して使用することができる。また、例えば、アスコルビン酸、カルボン酸、クエン酸等の有機酸やドデシルベンゼンスルホン酸、ドデシルベンゼンスルホン酸ナトリウム、ドデシルベンゼンスルホン酸カルシウムなどのアルキルベンゼンスルホン酸及びその塩類、アニオン界面活性剤、カチオン界面活性剤、両性界面活性剤、非イオン界面活性剤などを使用することもできる。ただし、本抗ウィルス剤等としては、界面活性剤及び多価アルコール類の少なくともいずれか一方を使用するのが好ましい。ウィルス等の細胞膜に吸着・分解し、ウィルスを不活化するためである
【図面の簡単な説明】
【００５１】
【図１】本発明に係る衛生薄用紙ロールの斜視図である。
【符号の説明】
【００５２】
１…中層衛生薄葉紙、２…表面衛生薄葉紙、３…裏面衛生薄葉紙、１０…連続シート、Ｒ…周面、Ｐ…図案・図柄の着色部分、Ｘ１…衛生薄葉紙ロール。
【図１】
2009178473.tif 000003